(57)【要約】  基地局装置（１００）は、第１のデータを送信するための無線リソースの割り当てを要求する割当要求を受信する受信部（１００ｃ）と、前記受信部（１００ｃ）によって割当要求が受信された場合に、第１のデータよりも大きい遅延が許容される第２のデータに割り当てられた上り回線の無線リソースの一部を第１のデータに割り当てるスケジューリング部（１０１）と、前記スケジューリング部（１０１）によって第１のデータに上り回線の無線リソースが割り当てられたことを示す上り回線標示信号を送信する送信部（１０４、１００ｃ）とを有する。
2018203389.tif 000002
【特許請求の範囲】
【請求項１】
第１のデータを送信するための無線リソースの割り当てを要求する割当要求を受信する受信部と、
前記受信部によって割当要求が受信された場合に、第１のデータよりも大きい遅延が許容される第２のデータに割り当てられた上り回線の無線リソースの一部を第１のデータに割り当てるスケジューリング部と、
前記スケジューリング部によって第１のデータに上り回線の無線リソースが割り当てられたことを示す上り回線標示信号を送信する送信部と
を有することを特徴とする基地局装置。
【請求項２】
前記スケジューリング部は、
第１のデータに割り当てられた無線リソースが割り当てられていた第２のデータに他の無線リソースを割り当て、
前記送信部は、
前記スケジューリング部によって第２のデータに割り当てられた他の無線リソースを指定する上り回線標示信号を送信することを特徴とする請求項１記載の基地局装置。
【請求項３】
前記スケジューリング部は、
第２のデータに割り当てられた下り回線の無線リソースの一部を第１のデータに割り当て、
前記送信部は、
前記スケジューリング部によって第１のデータに下り回線の無線リソースが割り当てられたことを示す下り回線標示信号を送信する
ことを特徴とする請求項１記載の基地局装置。
【請求項４】
前記送信部は、
互いに異なる無線リソースを用いて前記上り回線標示信号及び前記下り回線標示信号を送信することを特徴とする請求項３記載の基地局装置。
【請求項５】
前記送信部は、
同一の無線パラメータによって前記上り回線標示信号及び前記下り回線標示信号を送信することを特徴とする請求項３記載の基地局装置。
【請求項６】
前記上り回線標示信号及び前記下り回線標示信号の送信の有無を示す監視信号を送信する監視信号送信部をさらに有することを特徴とする請求項３記載の基地局装置。
【請求項７】
前記監視信号送信部は、
第１のデータに関する制御信号の有無をさらに示す監視信号を送信することを特徴とする請求項６記載の基地局装置。
【請求項８】
前記スケジューリング部は、
コードブロック（Code  Block）単位で無線リソースの割り当てを実行し、
前記送信部は、
複数のコードブロックを含むコードブロックグループ（ＣＢＧ）単位の無線リソースの割り当てに関する情報を含む上り回線標示信号又は下り回線標示信号を送信する
ことを特徴とする請求項３記載の基地局装置。
【請求項９】
前記送信部は、
複数のコードブロックグループに跨った無線リソースに所定のデータが配置されることを示す上り回線標示信号又は下り回線標示信号を送信することを特徴とする請求項８記載の基地局装置。
【請求項１０】
第１のデータに上り回線の無線リソースが割り当てられたことを示す上り回線標示信号を受信する受信部と、
前記受信部によって受信された上り回線標示信号に従って、第１のデータに割り当てられた上り回線の無線リソースを用いた第２のデータの送信を抑制する送信制御部と
を有することを特徴とする端末装置。
【請求項１１】
第１のデータを送信するための無線リソースの割り当てを要求する割当要求を送信する割当要求送信部と、
前記割当要求送信部によって送信された割当要求に応じて割り当てられた上り回線の無線リソースであって、第１のデータよりも大きい遅延が許容される第２のデータに割り当てられていた無線リソースを用いて第１のデータを送信するデータ送信部と
を有することを特徴とする端末装置。
【請求項１２】
基地局装置と、第１のデータを送信する第１の端末装置と、第１のデータよりも大きい遅延が許容される第２のデータを送信する第２の端末装置とを有する無線通信システムであって、
前記基地局装置は、
第１のデータを送信するための無線リソースの割り当てを要求する割当要求を前記第１の端末装置から受信する受信部と、
前記受信部によって割当要求が受信された場合に、第２のデータに割り当てられた上り回線の無線リソースの一部を第１のデータに割り当てるスケジューリング部と、
前記スケジューリング部によって第１のデータに上り回線の無線リソースが割り当てられたことを示す上り回線標示信号を送信する送信部とを有し、
前記第２の端末装置は、
前記送信部から送信された上り回線標示信号を受信する標示信号受信部と、
前記標示信号受信部によって受信された上り回線標示信号に従って、第１のデータに割り当てられた上り回線の無線リソースを用いた第２のデータの送信を抑制する送信制御部とを有する
ことを特徴とする無線通信システム。
【請求項１３】
基地局装置と、第１のデータを送信する第１の端末装置と、第１のデータよりも大きい遅延が許容される第２のデータを送信する第２の端末装置とを有する無線通信システムにおける無線通信方法であって、
前記基地局装置が、
第１のデータを送信するための無線リソースの割り当てを要求する割当要求を前記第１の端末装置から受信し、
割当要求が受信された場合に、第２のデータに割り当てられた上り回線の無線リソースの一部を第１のデータに割り当て、
第１のデータに上り回線の無線リソースが割り当てられたことを示す上り回線標示信号を送信し、
前記第２の端末装置が、
上り回線標示信号を受信し、
受信された上り回線標示信号に従って、第１のデータに割り当てられた上り回線の無線リソースを用いた第２のデータの送信を抑制する
処理を有することを特徴とする無線通信方法。
【発明の詳細な説明】
【技術分野】
【０００１】
本発明は、基地局装置、端末装置、無線通信システム及び無線通信方法に関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  things）サービス（例えば、交通システム、スマートメータ、装置等の監視システム）の展開に合わせて、多様な要求条件を持つサービスに対応することが求められている。そのため、次世代（例えば、５Ｇ（第５世代移動体通信））の通信規格では、４Ｇ（第４世代移動体通信）の標準技術（例えば、非特許文献１〜１１）に加えて、さらなる高データレート化、大容量化、低遅延化を実現する技術が求められている。なお、次世代通信規格については、３ＧＰＰの作業部会（例えば、ＴＳＧ−ＲＡＮ  ＷＧ１、ＴＳＧ−ＲＡＮ  ＷＧ２等）で技術検討が進められている（非特許文献１２〜１９）。【０００４】
上記で述べたように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)、及びＵＲＬＬＣ（Ultra−Reliable  and  Low  Latency  Communication）に分類される多くのユースケースのサポートが想定されている。【０００５】
その中でも、ＵＲＬＬＣは実現が最も困難なユースケースである。まず、無線区間でのエラーレートを１０-5のオーダーにするという超高信頼性の要求がある。超高信頼性を実現する１つの方法として、使用リソース量を増やしてデータに冗長性を持たせる方法がある。しかし、無線リソースには限りがあるので、無制限に使用リソースを増やすことはできない。【０００６】
低遅延に関しても、ＵＲＬＬＣでは、上り回線及び下り回線におけるユーザプレーンの無線区間での遅延を０．５ミリ秒とすることが目標とされている。これは４Ｇ無線システムＬＴＥ（Long  Term  Evolution）の１／１０未満という高い要求である。ＵＲＬＬＣでは、上記のような超高信頼性と低遅延の２つの要求を同時に満たすことが望まれている。【０００７】
また、次世代の無線通信システムに向けて、３ＧＰＰの会合では、超高信頼低遅延通信データ（ＵＲＬＬＣデータ）と、他のデータ（例えば、ｅＭＢＢデータ等）とを同一キャリアで同時にサポートする方法が提案されている（非特許文献１９）。【０００８】
また、下り回線における超高信頼低遅延通信データ（ＵＲＬＬＣデータ）と、他のデータ（例えば、ｅＭＢＢデータ等）とを同一キャリアで同時にサポートするための技術が提案されている（非特許文献２０）。
【先行技術文献】
【非特許文献】
【０００９】
【非特許文献１】3GPP  TS  36.211  V14.2.0  (2017-03)
【非特許文献２】3GPP  TS  36.212  V14.2.0  (2017-03)
【非特許文献３】3GPP  TS  36.213  V14.2.0  (2017-03)
【非特許文献４】3GPP  TS  36.300  V14.2.0  (2017-03)
【非特許文献５】3GPP  TS  36.321  V14.2.0  (2017-03)
【非特許文献６】3GPP  TS  36.322  V14.0.0  (2017-03)
【非特許文献７】3GPP  TS  36.323  V14.2.0  (2017-03)
【非特許文献８】3GPP  TS  36.331  V14.2.0  (2017-03)
【非特許文献９】3GPP  TS  36.413  V14.2.0  (2017-03)
【非特許文献１０】3GPP  TS  36.423  V14.2.0  (2017-03)
【非特許文献１１】3GPP  TS  36.425  V14.0.0  (2017-03)
【非特許文献１２】3GPP  TR  38.801  V14.0.0  (2017-03)
【非特許文献１３】3GPP  TR  38.802  V14.0.0  (2017-03)
【非特許文献１４】3GPP  TR  38.803  V14.0.0  (2017-03)
【非特許文献１５】3GPP  TR  38.804  V14.0.0  (2017-03)
【非特許文献１６】3GPP  TR  38.900  V14.2.0  (2016-12)
【非特許文献１７】3GPP  TR  38.912  V14.0.0  (2017-03)
【非特許文献１８】3GPP  TR  38.913  V14.2.0  (2017-03)
【非特許文献１９】"New  SID  Proposal:  Study  on  New  Radio  Access  Technology",  NTT  docomo,  RP-160671,  3GPP  TSG  RAN  Meeting  #71,  Goteborg,  Sweden,  7.-10.  March,  2016
【非特許文献２０】"Discussion  on  Preemption  Indicator  for  Multiplexing  eMBB  and  URLLC  in  Downlink",  Fujitsu,  R1-1701920,  3GPP  TSG-RAN  WG1  Meeting#88,  Athens,  Greece,  13.-17.  February,  2017
【発明の概要】
【発明が解決しようとする課題】
【００１０】
ところで、端末装置がデータを送信したい場合、端末装置は、無線リソースの割り当てを要求する情報（例えば、スケジューリングリクエスト）を基地局装置に送信する。基地局装置は、端末装置から送信されたスケジューリングリクエストに応じて無線リソースの割り当てを行い、結果を端末装置へ通知する。端末装置は、基地局装置から通知された無線リソースの割り当て情報に従ってデータを送信する。【００１１】
一方で、例えば、端末装置がＵＲＬＬＣデータを送信する場合、ＵＲＬＬＣデータに要求される条件（例えば、超高信頼性及び低遅延）でデータ通信が可能な無線リソースの割り当て及び無線リソースの割り当て情報を利用したデータ通信が要求される。この点、単に基地局装置がスケジューリングリクエストに応じて無線リソースを割り当てるだけでは、例えば比較的大きな遅延などが発生し、ＵＲＬＬＣデータに要求される条件を満たすことが困難な場合があるという問題がある。【００１２】
開示の技術は、かかる点に鑑みてなされたものであって、データ通信に要求される条件を考慮した無線リソースの割り当てに従って通信することができる基地局装置、端末装置、無線通信システム及び無線通信方法を提供することを目的とする。
【課題を解決するための手段】
【００１３】
本願が開示する基地局装置は、１つの態様において、第１のデータを送信するための無線リソースの割り当てを要求する割当要求を受信する受信部と、前記受信部によって割当要求が受信された場合に、第１のデータよりも大きい遅延が許容される第２のデータに割り当てられた上り回線の無線リソースの一部を第１のデータに割り当てるスケジューリング部と、前記スケジューリング部によって第１のデータに上り回線の無線リソースが割り当てられたことを示す上り回線標示信号を送信する送信部とを有する。
【発明の効果】
【００１４】
本願が開示する基地局装置、端末装置、無線通信システム及び無線通信方法の１つの態様によれば、データ通信に要求される条件を考慮した無線リソースの割り当てに従って通信することができるという効果を奏する。
【図面の簡単な説明】
【００１５】
【図１】図１は、実施の形態１に係る無線通信システムの構成を示す図である。
【図２】図２は、実施の形態１に係る基地局装置の構成を示すブロック図である。
【図３】図３は、実施の形態１に係る端末装置の構成を示すブロック図である。
【図４】図４は、実施の形態１に係る他の端末装置の構成を示すブロック図である。
【図５】図５は、実施の形態１に係る無線通信方法を示すシーケンス図である。
【図６】図６は、実施の形態１に係るスロット構成の具体例を示す図である。
【図７】図７は、実施の形態１に係るスロット構成の他の具体例を示す図である。
【図８】図８は、実施の形態２に係る基地局装置の構成を示すブロック図である。
【図９】図９は、実施の形態２に係る端末装置の構成を示すブロック図である。
【図１０】図１０は、実施の形態２に係る端末装置の動作を示すフロー図である。
【図１１】図１１は、実施の形態２に係るスロット構成の具体例を示す図である。
【図１２】図１２は、実施の形態２に係るスロット構成の他の具体例を示す図である。
【図１３】図１３は、実施の形態３に係るスロット構成の具体例を示す図である。
【図１４】図１４は、実施の形態３に係るスロット構成の他の具体例を示す図である。
【図１５】図１５は、実施の形態３に係るスロット構成のさらに他の具体例を示す図である。
【発明を実施するための形態】
【００１６】
以下、本願が開示する基地局装置、端末装置、無線通信システム及び無線通信方法の実施の形態について、図面を参照して詳細に説明する。なお、この実施の形態により本発明が限定されるものではない。
【００１７】
（実施の形態１）
図１は、実施の形態１に係る無線通信システムの構成を示す図である。図１に示す無線通信システムは、基地局装置１００と複数の端末装置２００とを有する。
【００１８】
基地局装置１００は、端末装置２００との間で、例えばｅＭＢＢデータ及びＵＲＬＬＣデータなどのデータを送受信する。また、基地局装置１００は、端末装置２００がＵＲＬＬＣデータの送信を希望する際には、他の端末装置２００がｅＭＢＢデータの送信に利用する無線リソースの一部をＵＲＬＬＣデータの送信に割り当てる。そして、基地局装置１００は、ＵＲＬＬＣデータの送信に割り当てられた無線リソースの情報を示す標示信号を送信し、この無線リソースを用いたｅＭＢＢデータの送信を中止させる。
【００１９】
端末装置２００は、基地局装置１００との間で、例えばｅＭＢＢデータ及びＵＲＬＬＣデータなどのデータを送受信する。端末装置２００は、ＵＲＬＬＣデータの送信を希望する際には、無線リソースの割り当てを要求するスケジューリングリクエスト（Scheduling  Request：以下「ＳＲ」と略記する）を基地局装置１００へ送信する。そして、端末装置２００は、基地局装置１００によって割り当てられた無線リソースであって、他の端末装置２００がｅＭＢＢデータの送信に利用する予定であった無線リソースを用いて、ＵＲＬＬＣデータを送信する。
【００２０】
以下においては、ｅＭＢＢデータを送受信する端末装置２００をｅＭＢＢ端末装置といい、ＵＲＬＬＣデータを送受信する端末装置２００をＵＲＬＬＣ端末装置ということがある。ただし、端末装置２００は、ｅＭＢＢデータ及びＵＲＬＬＣデータの双方を送受信しても良い。
【００２１】
図２は、実施の形態１に係る基地局装置１００の構成を示すブロック図である。図２に示す基地局装置１００は、プロセッサ１００ａ、メモリ１００ｂ及び無線送受信部１００ｃを有する。
【００２２】
プロセッサ１００ａは、例えばＣＰＵ（Central  Processing  Unit）、ＦＰＧＡ（Field  Programmable  Gate  Array）又はＤＳＰ（Digital  Signal  Processor）などを備え、基地局装置１００全体を統括制御する。具体的には、プロセッサ１００ａは、スケジューラ部１０１、データ生成部１０２、制御信号生成部１０３、標示信号生成部１０４、マッピング部１０５、ＩＦＦＴ（Inverse  Fast  Fourier  Transform：逆高速フーリエ変換）部１０６、ＣＰ（Cyclic  Prefix）付加部１０７、ＣＰ除去部１１１、ＦＦＴ（Fast  Fourier  Transform：高速フーリエ変換）部１１２、データ復号部１１３及びＳＲ取得部１１４を有する。
【００２３】
スケジューラ部１０１は、複数の端末装置２００との間で送受信されるｅＭＢＢデータ及びＵＲＬＬＣデータに無線リソースを割り当てるスケジューリングを実行する。具体的には、スケジューラ部１０１は、各端末装置２００が送信するｅＭＢＢデータ及びＵＲＬＬＣデータに無線リソースを割り当てる上り回線のスケジューリングを実行する。特に、スケジューラ部１０１は、ＵＲＬＬＣデータの送信を希望するＵＲＬＬＣ端末装置２００からＳＲが受信されると、直近の無線リソースをＵＲＬＬＣデータの送信に割り当てる。このとき、スケジューラ部１０１は、直近の無線リソースが既にｅＭＢＢデータの送信に割り当てられている場合でも、この無線リソースをＵＲＬＬＣデータの送信に割り当て、ｅＭＢＢデータの送信には例えば次のスロットの無線リソースを割り当てる。
【００２４】
なお、スケジューラ部１０１は、各端末装置２００へ送信されるｅＭＢＢデータ及びＵＲＬＬＣデータに無線リソースを割り当てる下り回線のスケジューリングも実行する。
【００２５】
データ生成部１０２は、スケジューラ部１０１による下り回線のスケジューリングに従って、端末装置２００へ送信されるｅＭＢＢデータ及びＵＲＬＬＣデータを生成する。すなわち、データ生成部１０２は、各端末装置２００宛てのｅＭＢＢデータを符号化及び変調したり、ＵＲＬＬＣデータを符号化及び変調したりする。
【００２６】
制御信号生成部１０３は、スケジューラ部１０１によるスケジューリングに従って、ｅＭＢＢ及びＵＲＬＬＣの制御信号を生成する。具体的には、制御信号生成部１０３は、上り回線のＵＲＬＬＣデータに無線リソースが割り当てられた場合には、ＵＲＬＬＣデータの符号化率、変調方式及び送信電力などを指定するＵＲＬＬＣ制御信号を生成する。このＵＲＬＬＣ制御信号は、ＵＲＬＬＣデータを送信するＵＲＬＬＣ端末装置２００へ送信される。また、制御信号生成部１０３は、ｅＭＢＢデータを送信するｅＭＢＢ端末装置２００に対しては、ｅＭＢＢデータの符号化率、変調方式及び送信電力などを指定するｅＭＢＢ制御信号を生成する。
【００２７】
なお、制御信号生成部１０３は、各端末装置２００へ送信されるｅＭＢＢデータ及びＵＲＬＬＣデータの符号化率、変調方式及び送信電力などを示す下り回線の制御信号も生成する。
【００２８】
標示信号生成部１０４は、スケジューラ部１０１によるスケジューリングに従って、上り回線及び下り回線それぞれのＵＲＬＬＣデータの有無を示す標示信号を生成する。具体的には、標示信号生成部１０４は、上り回線のＵＲＬＬＣデータに無線リソースが割り当てられた場合には、ＵＲＬＬＣデータに割り当てられた上り回線の無線リソースを特定する情報を含む上り回線用の標示信号（以下「ＵＬ標示信号」という）を生成する。このＵＬ標示信号は、ｅＭＢＢ端末装置２００へ送信され、ＵＲＬＬＣデータに割り当てられた無線リソースを用いたｅＭＢＢデータの送信を中止させる。このため、標示信号生成部１０４は、送信が中止されたｅＭＢＢデータに改めて割り当てられる、例えば次のスロットの無線リソースを指定する情報をＵＬ標示信号に含めても良い。
【００２９】
なお、標示信号生成部１０４は、各ＵＲＬＬＣ端末装置２００へ送信されるＵＲＬＬＣデータが発生した場合には、下り回線のＵＲＬＬＣデータに割り当てられた下り回線の無線リソースを特定する情報を含む下り回線用の標示信号（以下「ＤＬ標示信号」という）も生成する。標示信号生成部１０４は、ＵＬ標示信号とＤＬ表示信号とで例えばサブキャリア間隔などの無線パラメータを同一にしても良い。また、ＵＬ標示信号及びＤＬ標示信号のこれらの無線パラメータは、下り回線で送信される他の制御チャネルの無線パラメータと同一であっても良い。すなわち、ＵＬ標示信号及びＤＬ標示信号のNumerologyが同一であっても良く、標示信号及び他の制御チャネルのNumerologyが同一であっても良い。さらに、標示信号を復調するための参照信号（ＤＭＲＳ：DeModulation  Reference  Signal）も他の制御チャネルを復調するための参照信号と同一であっても良い。
【００３０】
マッピング部１０５は、ｅＭＢＢデータ、ＵＲＬＬＣデータ、標示信号及び制御信号をマッピングして、送信信号を生成する。すなわち、マッピング部１０５は、ｅＭＢＢデータ、ＵＲＬＬＣデータ、標示信号及び制御信号をスケジューリングに従った無線リソースに配置する。このとき、マッピング部１０５は、送信信号を構成する各スロットをさらに複数のミニスロットに分割し、ミニスロット単位のマッピングを実行する。したがって、上り回線のＵＲＬＬＣデータに無線リソースが割り当てられる場合には、マッピング部１０５は、ＳＲが受信された時点の直近のミニスロットにＵＬ標示信号をマッピングするとともに、ＵＲＬＬＣ制御信号をマッピングする。
【００３１】
ＩＦＦＴ部１０６は、マッピング部１０５によって生成された送信信号を逆高速フーリエ変換し、時間領域の送信信号を生成する。そして、ＩＦＦＴ部１０６は、送信信号をＣＰ付加部１０７へ出力する。
【００３２】
ＣＰ付加部１０７は、ＩＦＦＴ部１０６から出力される送信信号にシンボル単位でＣＰを付加する。そして、ＣＰ付加部１０７は、ＣＰが付加された送信信号を無線送受信部１００ｃへ出力する。
【００３３】
ＣＰ除去部１１１は、受信信号にシンボル単位で付加されたＣＰを除去する。そして、ＣＰ除去部１１１は、ＣＰ除去後の受信信号をＦＦＴ部１１２へ出力する。
【００３４】
ＦＦＴ部１１２は、ＣＰ除去部１１１から出力された受信信号を高速フーリエ変換し、周波数領域の受信信号に変換する。受信信号には、各端末装置２００から送信されたｅＭＢＢデータ及びＵＲＬＬＣデータが含まれる。また、ＵＲＬＬＣデータの送信を希望するＵＲＬＬＣ端末装置２００がある場合には、このＵＲＬＬＣ端末装置２００から送信されたＳＲが受信信号に含まれる。
【００３５】
データ復号部１１３は、受信信号に含まれるｅＭＢＢデータ及びＵＲＬＬＣデータを復調及び復号する。ＵＲＬＬＣ端末装置２００からＵＲＬＬＣデータが送信された場合には、他のｅＭＢＢ端末装置２００のｅＭＢＢデータに割り当てられた無線リソースの一部がＵＲＬＬＣデータに譲られ、無線リソースを譲ったｅＭＢＢデータは、例えば次のスロットで送信される。このため、データ復号部１１３は、受信信号にＵＲＬＬＣデータが含まれる場合には、このＵＲＬＬＣデータの位置に例えば次のスロットで受信されるｅＭＢＢデータがあるものとしてｅＭＢＢデータ全体を復号する。
【００３６】
ＳＲ取得部１１４は、ＵＲＬＬＣデータの送信を希望するＵＲＬＬＣ端末装置２００から送信されたＳＲを受信信号から取得する。すなわち、上り回線のＵＲＬＬＣデータが発生した場合には、ＵＲＬＬＣ端末装置２００からＳＲが送信されるため、ＳＲ取得部１１４は、受信信号にＳＲが含まれるか否かを監視し、ＳＲが含まれる場合には、受信信号からＳＲを取得する。そして、ＳＲ取得部１１４は、ＳＲを取得した場合、上り回線のＵＲＬＬＣデータに無線リソースを割り当てるようにスケジューラ部１０１へ指示する。
【００３７】
メモリ１００ｂは、例えばＲＡＭ（Random  Access  Memory）又はＲＯＭ（Read  Only  Memory）などを備え、プロセッサ１００ａによって処理が実行される際に、種々の情報を記憶する。
【００３８】
無線送受信部１００ｃは、ＣＰ付加部１０７から出力される送信信号に対して、例えばＤ／Ａ（Digital/Analog）変換及びアップコンバートなどの無線送信処理を施す。そして、無線送受信部１００ｃは、アンテナを介して送信信号を送信する。また、無線送受信部１００ｃは、アンテナを介して信号を受信し、受信信号に対して、例えばダウンコンバート及びＡ／Ｄ（Analog/Digital）変換などの無線受信処理を施す。そして、無線送受信部１００ｃは、受信信号をＣＰ除去部１１１へ出力する。
【００３９】
図３は、実施の形態１に係るｅＭＢＢ端末装置２００−１の構成を示すブロック図である。図３に示すｅＭＢＢ端末装置２００−１は、無線送受信部２００ａ、プロセッサ２００ｂ及びメモリ２００ｃを有する。
【００４０】
無線送受信部２００ａは、アンテナを介して信号を受信し、受信信号に対して、例えばダウンコンバート及びＡ／Ｄ変換などの無線受信処理を施す。そして、無線送受信部２００ａは、受信信号をプロセッサ２００ｂへ出力する。また、無線送受信部２００ａは、プロセッサ２００ｂから出力される送信信号に対して、例えばＤ／Ａ変換及びアップコンバートなどの無線送信処理を施す。そして、無線送受信部２００ａは、アンテナを介して送信信号を送信する。
【００４１】
プロセッサ２００ｂは、例えばＣＰＵ、ＦＰＧＡ又はＤＳＰなどを備え、ｅＭＢＢ端末装置２００−１全体を統括制御する。具体的には、プロセッサ２００ｂは、ＣＰ除去部２０１、ＦＦＴ部２０２、標示信号復号部２０３、ｅＭＢＢデータ送信制御部２１１、ｅＭＢＢデータ生成部２１２、ＩＦＦＴ部２１３及びＣＰ付加部２１４を有する。
【００４２】
ＣＰ除去部２０１は、受信信号にシンボル単位で付加されたＣＰを除去する。そして、ＣＰ除去部２０１は、ＣＰ除去後の受信信号をＦＦＴ部２０２へ出力する。
【００４３】
ＦＦＴ部２０２は、ＣＰ除去部２０１から出力された受信信号を高速フーリエ変換し、周波数領域の受信信号に変換する。受信信号には、基地局装置１００から送信されたｅＭＢＢデータ及び標示信号が含まれる。
【００４４】
標示信号復号部２０３は、受信信号に含まれるＵＬ標示信号を復調及び復号する。ＵＬ標示信号は、ＵＲＬＬＣ端末装置２００によるＵＲＬＬＣデータの送信に無線リソースが割り当てられた場合に基地局装置１００から送信されるため、常に受信信号に含まれる訳ではない。このため、標示信号復号部２０３は、ミニスロットごとにブラインド復号を実行し、ｅＭＢＢ端末装置２００−１宛てのＵＬ標示信号があるか否かを監視する。
【００４５】
なお、標示信号復号部２０３は、受信信号に含まれるＤＬ標示信号も復調及び復号し、下り回線のＵＲＬＬＣデータに割り当てられた無線リソースを特定する。これにより、ｅＭＢＢ端末装置２００−１は、ＵＲＬＬＣデータに割り当てられた無線リソース以外の無線リソースからｅＭＢＢデータを復調及び復号することができる。上述したように、標示信号復号部２０３は、ブラインド復号を実行するため、ＵＬ標示信号とＤＬ標示信号のサーチスペースは異なるのが好ましい。ＵＬ標示信号とＤＬ標示信号のサーチスペースが異なることにより、標示信号復号部２０３は、ＵＲＬＬＣデータが上り回線及び下り回線のどちらで送信されるかを容易に識別することができ、ブラインド復号の処理負荷を低減することができる。
【００４６】
ｅＭＢＢデータ送信制御部２１１は、標示信号復号部２０３によってＵＬ標示信号が検出されると、ＵＬ標示信号に基づいてＵＲＬＬＣデータに割り当てられた無線リソースを特定し、この無線リソースを用いたｅＭＢＢデータの送信を中止させる。すなわち、ｅＭＢＢデータ送信制御部２１１は、上り回線においてＵＲＬＬＣデータが送信されるミニスロットでは、ｅＭＢＢデータ生成部２１２からのｅＭＢＢデータの出力を停止させる。また、ｅＭＢＢデータ送信制御部２１１は、送信が中止されたｅＭＢＢデータに改めて割り当てられた無線リソースがＵＬ標示信号によって指定されている場合には、このｅＭＢＢデータを指定された無線リソースで送信させる。
【００４７】
ｅＭＢＢデータ生成部２１２は、基地局装置１００へ送信されるｅＭＢＢデータを生成する。すなわち、ｅＭＢＢデータ生成部２１２は、ｅＭＢＢデータを符号化及び変調する。そして、ｅＭＢＢデータ生成部２１２は、生成したｅＭＢＢデータをＩＦＦＴ部２１３へ出力する。ただし、ｅＭＢＢデータ生成部２１２は、ｅＭＢＢデータ送信制御部２１１による制御に従って、ＵＲＬＬＣデータが送信されるミニスロットでは、ｅＭＢＢデータの出力を停止する。
【００４８】
ＩＦＦＴ部２１３は、ｅＭＢＢデータ生成部２１２から出力されたｅＭＢＢデータを逆高速フーリエ変換し、時間領域の送信信号を生成する。そして、ＩＦＦＴ部２１３は、送信信号をＣＰ付加部２１４へ出力する。
【００４９】
ＣＰ付加部２１４は、ＩＦＦＴ部２１３から出力される送信信号にシンボル単位でＣＰを付加する。そして、ＣＰ付加部２１４は、ＣＰが付加された送信信号を無線送受信部２００ａへ出力する。
【００５０】
メモリ２００ｃは、例えばＲＡＭ又はＲＯＭなどを備え、プロセッサ２００ｂによって処理が実行される際に、種々の情報を記憶する。
【００５１】
図４は、実施の形態１に係るＵＲＬＬＣ端末装置２００−２の構成を示すブロック図である。図４において、図３と同じ部分には同じ符号を付し、その説明を省略する。図４に示すＵＲＬＬＣ端末装置２００−２は、図３に示すｅＭＢＢ端末装置２００−１と同様に、無線送受信部２００ａ、プロセッサ２００ｂ及びメモリ２００ｃを有する。ただし、図４に示すＵＲＬＬＣ端末装置２００−２のプロセッサ２００ｂは、制御信号復号部２２１、ＳＲ生成部２３１及びＵＲＬＬＣデータ生成部２３２を有する点が、図３に示すｅＭＢＢ端末装置２００−１とは異なる。
【００５２】
制御信号復号部２２１は、受信信号に含まれるＵＲＬＬＣ制御信号を復調及び復号する。ＵＲＬＬＣ制御信号は、上り回線のＵＲＬＬＣデータへの無線リソースの割り当てを要求するスケジューリングリクエスト（ＳＲ）をＵＲＬＬＣ端末装置２００−２が送信した場合に、基地局装置１００からＵＲＬＬＣ端末装置２００−２へ送信される。ＵＲＬＬＣ制御信号によって、ＵＲＬＬＣデータの符号化率、変調方式及び送信電力などが指定される。
【００５３】
ＳＲ生成部２３１は、ＵＲＬＬＣ端末装置２００−２から送信すべきＵＲＬＬＣデータが発生した場合に、ＵＲＬＬＣデータへの無線リソースの割り当てを要求するＳＲを生成する。ＳＲ生成部２３１が生成したＳＲは、ＩＦＦＴ部２１３、ＣＰ付加部２１４を介して無線送受信部２００ａから基地局装置１００へ送信される。
【００５４】
ＵＲＬＬＣデータ生成部２３２は、制御信号復号部２２１によって復号されたＵＲＬＬＣ制御信号に従って、ＵＲＬＬＣデータを生成する。すなわち、ＵＲＬＬＣデータ生成部２３２は、ＵＲＬＬＣ制御信号によって指定された符号化率及び変調方式でＵＲＬＬＣデータを生成する。ＵＲＬＬＣデータ生成部２３２が生成したＵＲＬＬＣデータは、基地局装置１００によって割り当てられた無線リソースを用いて無線送受信部２００ａから基地局装置１００へ送信される。
【００５５】
なお、ＵＲＬＬＣデータに割り当てられた無線リソースの情報は、ｅＭＢＢ端末装置２００−１へ送信されるＵＬ標示信号によってＵＲＬＬＣ端末装置２００−２に通知されても良い。また、例えばＵＲＬＬＣ制御信号が受信されたミニスロットに最も近い上り回線のミニスロットがＵＲＬＬＣデータに割り当てられるなどのように、所定のルールに従ってＵＲＬＬＣデータに割り当てられる無線リソースが決定されても良い。
【００５６】
次いで、上記のように構成された無線通信システムにおける上り回線のＵＲＬＬＣデータ送信方法について、図５に示すシーケンス図を参照しながら説明する。
【００５７】
ＵＲＬＬＣ端末装置２００−２によるＵＲＬＬＣデータの送信が発生していない間は、ｅＭＢＢ端末装置２００−１が基地局装置１００によるスケジューリングに従ってｅＭＢＢデータを送信する（ステップＳ２０１）。そして、ＵＲＬＬＣ端末装置２００−２においてＵＲＬＬＣデータが発生すると、ＵＲＬＬＣ端末装置２００−２は、基地局装置１００に対して無線リソースの割り当てを要求するＳＲを送信する（ステップＳ１０２）。
【００５８】
ＳＲは、基地局装置１００によって受信され、ＵＲＬＬＣデータに無線リソースを割り当てるスケジューリングが実行される。このとき、ＵＲＬＬＣデータが即座に送信可能となるように、直近の無線リソースが既にｅＭＢＢデータに割り当てられている場合でも、この無線リソースの一部がＵＲＬＬＣデータに譲られる。そして、ＵＲＬＬＣデータに割り当てられた無線リソースを特定する情報を含むＵＬ標示信号がｅＭＢＢ端末装置２００−１へ送信され（ステップＳ１０３）、ｅＭＢＢ端末装置２００−１は、ＵＬ標示信号によって特定される無線リソースを用いたｅＭＢＢデータの送信を中止する（ステップＳ１０４）。
【００５９】
また、基地局装置１００は、ＵＲＬＬＣデータに無線リソースが割り当てられると、ＵＲＬＬＣ制御信号をＵＲＬＬＣ端末装置２００−２へ送信する（ステップＳ１０５）。ＵＲＬＬＣ端末装置２００−２は、ＵＲＬＬＣ制御信号を受信すると、ＵＲＬＬＣ制御信号によって指定される符号化率及び変調方式でＵＲＬＬＣデータを生成し、基地局装置１００によって割り当てられた無線リソースを用いてＵＲＬＬＣデータを送信する（ステップＳ１０６）。このとき、ｅＭＢＢデータに割り当てられた無線リソースの一部がＵＲＬＬＣデータに譲られているため、ＵＲＬＬＣデータはｅＭＢＢデータの送信完了を待機することなく低遅延で送信される。したがって、ＵＲＬＬＣデータに要求される条件を満たすことができる。
【００６０】
ところで、ｅＭＢＢ端末装置２００−１が受信したＵＬ標示信号には、送信が中止されたｅＭＢＢデータに改めて割り当てられた無線リソースの情報が含まれている。そこで、ｅＭＢＢ端末装置２００−１は、ＵＲＬＬＣデータに無線リソースを譲って送信が中止されたｅＭＢＢデータを、ＵＬ標示信号によって指定された無線リソース（例えば次のスロットの無線リソース）を用いて送信する（ステップＳ１０７）。
【００６１】
図６は、下り回線及び上り回線のスロット構成の具体例を示す図である。図６の上段は下り回線（ＤＬ）のスロット構成を示し、下段は上り回線（ＵＬ）のスロット構成を示す。
【００６２】
図６に示すように、下り回線及び上り回線のスロットは、いずれも複数のミニスロットを有する。ＵＲＬＬＣ端末装置２００−２においてＵＲＬＬＣデータが発生すると、上り回線のミニスロットにおいて、ＳＲ３０１が基地局装置１００へ送信される。
【００６３】
基地局装置１００は、ＳＲ３０１を受信すると、可能な限り近い上り回線のミニスロットをＵＲＬＬＣデータに割り当てる。図６においては、ミニスロット３２０がＵＲＬＬＣデータに割り当てられる。このとき、既にミニスロット３２０がｅＭＢＢデータに割り当てられていた場合でも、ＵＲＬＬＣデータの送信が優先され、ＵＲＬＬＣデータを最も早く送信可能となるミニスロット３２０がＵＲＬＬＣデータに譲られる。
【００６４】
ミニスロット３２０をＵＲＬＬＣデータに割り当てると、基地局装置１００は、ＳＲ３０１を受信した直後のミニスロット３１０において、ＵＲＬＬＣデータに割り当てられた無線リソースを示すＵＬ標示信号３１１を送信する。このＵＬ標示信号３１１には、ＵＲＬＬＣデータにミニスロット３２０を割り当てたことにより、送信が中止されたｅＭＢＢデータを送信すべきミニスロット３３０を指定する情報も含まれる。ミニスロット３３０は、例えばスロット内の位置がミニスロット３２０と同一のミニスロットである。
【００６５】
下り回線のミニスロット３１０では、ＵＬ標示信号３１１の他にも、ＵＲＬＬＣ制御信号３１２が送信される。そして、ＵＬ標示信号３１１は、ｅＭＢＢ端末装置２００−１によって受信され、ｅＭＢＢ端末装置２００−１は、ミニスロット３２０におけるｅＭＢＢデータの送信を中止する。一方、ＵＲＬＬＣ制御信号３１２は、ＵＲＬＬＣ端末装置２００−２によって受信され、ＵＲＬＬＣ端末装置２００−２は、ミニスロット３２０においてＵＲＬＬＣデータを送信する。これにより、ＵＲＬＬＣデータが要求する低遅延の条件を満たすことが可能となる。
【００６６】
また、ｅＭＢＢ端末装置２００−１は、ミニスロット３２０での送信を中止したｅＭＢＢデータを次のスロットのミニスロット３３０において送信する。基地局装置１００は、ミニスロット３３０において送信されたｅＭＢＢデータを、ミニスロット３２０において送信されたｅＭＢＢデータとして扱い、ミニスロット３２０の前後のミニスロットにおいて送信されたｅＭＢＢデータとともに復号する。
【００６７】
なお、図７に示すように、ＵＲＬＬＣデータが発生した場合のＳＲ３０１は、複数回繰り返して送信されても良い。また、ＳＲ３０１が複数回繰り返して送信される場合には、それぞれのＳＲ３０１が異なる周波数で送信されても良い。こうすることにより、時間及び周波数のダイバーシチ効果が得られ、ＳＲ３０１が確実に基地局装置１００によって受信される。結果として、上り回線で送信すべきＵＲＬＬＣデータが発生した場合に、このＵＲＬＬＣデータに確実に無線リソースを割り当てることができる。
【００６８】
以上のように、本実施の形態によれば、上り回線のＵＲＬＬＣデータが発生した場合に、ＵＲＬＬＣ端末装置はＳＲを送信し、基地局装置はｅＭＢＢ端末装置によるｅＭＢＢデータの送信に割り当て済みの無線リソースをＵＲＬＬＣデータに割り当てる。そして、基地局装置は、ＵＲＬＬＣデータに割り当てた無線リソースを特定するＵＬ標示信号を送信し、ｅＭＢＢ端末装置によるｅＭＢＢデータの送信を中止させる。このため、ＵＲＬＬＣ端末装置は、ｅＭＢＢデータの送信完了を待機することなく即座にＵＲＬＬＣデータを送信することができ、ＵＲＬＬＣデータに要求される低遅延の条件を満たすことができる。
【００６９】
（実施の形態２）
実施の形態２の特徴は、端末装置によるＵＬ標示信号及びＤＬ標示信号の監視が必要か否かを示す監視信号を各ミニスロットに配置し、端末装置の標示信号のブラインド復号に係る処理負荷を低減する点である。
【００７０】
実施の形態２に係る無線通信システムは、実施の形態１に係る無線通信システム（図１）と同様であるため、その説明を省略する。図８は、実施の形態２に係る基地局装置１００の構成を示すブロック図である。図８において、図２と同じ部分には同じ符号を付し、その説明を省略する。図８に示す基地局装置１００は、図２の制御信号生成部１０３に代えて、監視／制御信号生成部１２１を有する。
【００７１】
監視／制御信号生成部１２１は、スケジューラ部１０１によるスケジューリングに従って、ｅＭＢＢ及びＵＲＬＬＣの制御信号を生成する。具体的には、監視／制御信号生成部１２１は、上り回線のＵＲＬＬＣデータに無線リソースが割り当てられた場合には、ＵＲＬＬＣ制御信号を生成し、下り回線のＵＲＬＬＣデータに無線リソースが割り当てられた場合には、下り回線のＵＲＬＬＣデータに関する制御信号を生成する。また、監視／制御信号生成部１２１は、ｅＭＢＢ端末装置２００に対しては、上り回線及び下り回線のｅＭＢＢデータに関する制御信号を生成する。
【００７２】
さらに、監視／制御信号生成部１２１は、各ミニスロットにＵＬ標示信号及びＤＬ標示信号が含まれるか否かを示す監視信号を生成する。具体的には、監視／制御信号生成部１２１は、ＵＬ標示信号の有無を示す１ビットとＤＬ標示信号の有無を示す１ビットとを含む２ビットの監視信号を生成する。
【００７３】
例えば、監視／制御信号生成部１２１は、上り回線及び下り回線のいずれにおいてもＵＲＬＬＣデータに無線リソースが割り当てられない場合には、ＵＬ標示信号及びＤＬ標示信号の監視が不要であることを示す監視信号「００」を生成する。また、監視／制御信号生成部１２１は、上り回線のみにおいてＵＲＬＬＣデータに無線リソースが割り当てられる場合には、ＵＬ標示信号の監視が必要でありＤＬ標示信号の監視が不要であることを示す監視信号「１０」を生成する。また、監視／制御信号生成部１２１は、下り回線のみにおいてＵＲＬＬＣデータに無線リソースが割り当てられる場合には、ＵＬ標示信号の監視が不要でありＤＬ標示信号の監視が必要であることを示す監視信号「０１」を生成する。そして、監視／制御信号生成部１２１は、上り回線及び下り回線のいずれにおいてもＵＲＬＬＣデータに無線リソースが割り当てられる場合には、ＵＬ標示信号及びＤＬ標示信号の監視が必要であることを示す監視信号「１１」を生成する。
【００７４】
このような監視信号が各ミニスロットの所定の位置に配置されることにより、ｅＭＢＢ端末装置２００−１は、監視信号を復号すれば、ＵＬ標示信号及びＤＬ標示信号のブラインド復号が必要か否かを判断することができる。そして、ＵＬ標示信号又はＤＬ標示信号のブラインド復号が不要であれば、ｅＭＢＢ端末装置２００−１は、ブラインド復号を省略して処理負荷を低減することができる。
【００７５】
図９は、実施の形態２に係るｅＭＢＢ端末装置２００−１の構成を示すブロック図である。図９において、図３と同じ部分には同じ符号を付し、その説明を省略する。図９に示すｅＭＢＢ端末装置２００−１は、図３の標示信号復号部２０３に代えて、監視信号復号部２５１及び標示信号復号部２５２を有する。
【００７６】
監視信号復号部２５１は、受信信号の各ミニスロットの所定の位置に配置された監視信号を復調及び復号する。そして、監視信号復号部２５１は、監視信号の内容に従って、標示信号復号部２５２によるブラインド復号の対象を指定する。すなわち、監視信号復号部２５１は、ＵＬ標示信号及びＤＬ標示信号の監視が不要であることを示す監視信号が受信された場合には、標示信号のブラインド復号が不要であることを標示信号復号部２５２へ通知する。また、監視信号復号部２５１は、ＵＬ標示信号のみ又はＤＬ標示信号のみの監視が必要であることを示す監視信号が受信された場合には、該当する標示信号のみをブラインド復号するように標示信号復号部２５２に指示する。さらに、監視信号復号部２５１は、ＵＬ標示信号及びＤＬ標示信号の監視が必要であることを示す監視信号が受信された場合には、ＵＬ標示信号及びＤＬ標示信号双方をブラインド復号するように標示信号復号部２５２に指示する。監視信号復号部２５１は、ミニスロットごとの監視信号を復号するが、監視信号は例えば２ビットのサイズが小さい信号であるため、監視信号の復号による処理負荷の増大は小さくて済む。
【００７７】
標示信号復号部２５２は、監視信号復号部２５１からの指示に従って、ブラインド復号の対象となるＵＬ標示信号及びＤＬ標示信号を復調及び復号する。標示信号復号部２５２は、各ミニスロットにおいてＵＬ標示信号及びＤＬ標示信号のブラインド復号するのではなく、監視信号の内容に応じて必要な標示信号のみをブラインド復号するため、標示信号のブラインド復号による処理負荷を低減することができる。
【００７８】
次いで、上記のように構成されたｅＭＢＢ端末装置２００−１の動作について、図１０に示すフロー図を参照しながら説明する。
【００７９】
基地局装置１００から送信された信号は、アンテナを介して無線送受信部２００ａによって受信される（ステップＳ２０１）。受信信号は、無線送受信部２００ａによって無線受信処理が施され（ステップＳ２０２）、プロセッサ２００ｂのＣＰ除去部２０１へ出力される。そして、ＣＰ除去部２０１によって、受信信号の各シンボルに付加されたＣＰが除去され（ステップＳ２０３）、ＦＦＴ部２０２によって、受信信号が高速フーリエ変換されることにより（ステップＳ２０４）、周波数領域の受信信号が得られる。
【００８０】
受信信号の各ミニスロットの所定位置には、監視信号が配置されているため、監視信号復号部２５１によって、ミニスロットごとの監視信号が復調及び復号される（ステップＳ２０５）。そして、監視信号の復号結果から、標示信号の監視が必要であるか否かが判断される（ステップＳ２０６）。具体的には、監視信号がＵＬ標示信号及びＤＬ標示信号の監視が不要であることを示す場合には（ステップＳ２０６Ｙｅｓ）、その旨が標示信号復号部２５２へ通知され、標示信号復号部２５２による標示信号のブラインド復号が中止される（ステップＳ２０７）。
【００８１】
また、監視信号がＵＬ標示信号及びＤＬ標示信号の一方のみ又は双方の監視が必要であることを示す場合には（ステップＳ２０６Ｎｏ）、監視対象の標示信号が標示信号復号部２５２へ指示され、標示信号復号部２５２によって、監視対象の標示信号がブラインド復号される（ステップＳ２０８）。すなわち、ＵＬ標示信号のみが監視対象であれば、ＵＬ標示信号のみがブラインド復号され、ＤＬ標示信号のみが監視対象であれば、ＤＬ標示信号のみがブラインド復号され、ＵＬ標示信号及びＤＬ標示信号が監視対象であれば、ＵＬ標示信号及びＤＬ標示信号双方がブラインド復号される。
【００８２】
そして、標示信号の復号結果に基づいて、ｅＭＢＢデータの送信又は受信が制御される（ステップＳ２０９）。具体的には、ＵＬ標示信号が復号された場合には、ｅＭＢＢデータ送信制御部２１１によって、ＵＲＬＬＣデータに割り当てられた無線リソースを用いたｅＭＢＢデータの送信が中止される。また、ＤＬ標示信号が復号された場合には、ＵＲＬＬＣデータに割り当てられた無線リソース以外の無線リソースからｅＭＢＢデータが復調及び復号される。
【００８３】
図１１は、下り回線のスロット構成の具体例を示す図である。図１１に示すように、下り回線のスロットは、複数のミニスロットを有する。各ミニスロットの例えば先頭の位置には、監視信号４０１が配置される。各ミニスロットの監視信号４０１は、当該ミニスロットにＵＬ標示信号及びＤＬ標示信号が含まれるか否かを示している。
【００８４】
具体的には、例えばミニスロット４１０には、ＵＬ標示信号４１１が含まれるため、ミニスロット４１０の監視信号４０１は、ＵＬ標示信号のみの監視が必要であることを示す。なお、ＵＬ標示信号４１１が含まれるミニスロット４１０には、上り回線のＵＲＬＬＣデータに関する制御信号であるＵＲＬＬＣ制御信号４１２も含まれる。
【００８５】
また、例えばミニスロット４２０には、ＤＬ標示信号４２１が含まれるため、ミニスロット４２０の監視信号４０１は、ＤＬ標示信号のみの監視が必要であることを示す。なお、ＤＬ標示信号４２１が含まれるミニスロット４２０には、下り回線のＵＲＬＬＣデータに関する制御信号４２２も含まれる。
【００８６】
さらに、例えばミニスロット４３０には、ＵＬ標示信号４３１及びＤＬ標示信号４３３が含まれるため、ミニスロット４３０の監視信号４０１は、ＵＬ標示信号及びＤＬ標示信号双方の監視が必要であることを示す。なお、ミニスロット４３０においても、ＵＬ標示信号４３１に対応するＵＲＬＬＣ制御信号４３２と、ＤＬ標示信号４３３に対応する制御信号４３４とが含まれる。
【００８７】
これらのミニスロットにおいて、監視信号４０１は、ＵＬ標示信号の有無を示す１ビットとＤＬ標示信号の有無を示す１ビットとを含む高々２ビットの信号である。このため、ｅＭＢＢ端末装置２００−１は、ミニスロットごとに２ビットの監視信号を復号することにより、ＵＬ標示信号及びＤＬ標示信号のブラインド復号が必要か否かを判断することができる。結果として、不要なブラインド復号を省略することができ、ブラインド復号の処理負荷を低減することができる。また、監視信号によって標示信号の有無を判断することが可能なため、標示信号がない場合には、標示信号のための無線リソースを例えばｅＭＢＢデータに割り当ててｅＭＢＢ端末装置２００−１へ送信することができ、無線リソースを効率良く利用することができる。
【００８８】
以上のように、本実施の形態によれば、基地局装置は、ミニスロットごとに標示信号のブラインド復号が必要か否かを示す監視信号を配置し、ｅＭＢＢ端末装置は、監視信号を復号して、必要に応じて標示信号をブラインド復号する。このため、ミニスロットに標示信号が含まれない場合には、ｅＭＢＢ端末装置が不要なブラインド復号をすることがなく、ブラインド復号による処理負荷を低減することができる。
【００８９】
なお、上記実施の形態２においては、各ミニスロットに監視信号が配置されるものとしたが、監視信号は、例えばＲＲＣ（Radio  Resource  Control）シグナリングのように準静的シグナリングによって送信されても良い。また、監視信号は、ｅＭＢＢ端末装置を含む複数の端末装置へブロードキャスト又はマルチキャストされても良いし、例えばＰＤＣＣＨ（Physical  Downlink  Control  CHannel）や上位レイヤのシグナリング（例えばＲＲＣシグナリング）によって特定のｅＭＢＢ端末装置宛てにユニキャストされても良い。
【００９０】
また、上記実施の形態２においては、監視信号がＵＲＬＬＣデータに関する制御信号の有無を示しても良い。すなわち、例えば図１２に示すように、ミニスロット５１０に標示信号５１１と制御信号５１２が配置される場合について考える。ここでは、標示信号５１１は、ＵＬ表示信号でも良いし、ＤＬ表示信号でも良い。制御信号５１２には、それぞれ上り回線又は下り回線のＵＲＬＬＣデータに関する制御情報を格納可能な例えば４つの制御情報格納領域５１３が含まれるものとする。
【００９１】
この場合、ミニスロット５１０の先頭に配置される監視信号４０１は、４つの制御情報格納領域５１３のうち、標示信号５１１に対応するＵＲＬＬＣデータに関する制御情報を格納する制御情報格納領域５１３を特定する。したがって、ＵＲＬＬＣ端末装置は、監視信号を復号することにより、ＵＲＬＬＣデータの復号のために必要な制御情報や、ＵＲＬＬＣデータの送信のために必要な制御情報が格納された制御情報格納領域を容易に特定することができる。
【００９２】
（実施の形態３）
上記実施の形態１及び２では、ミニスロット単位でＵＲＬＬＣデータ及びｅＭＢＢデータが割り当てられる例を説明した。実施の形態３では、コードブロック（Code  Block：ＣＢ）又はＣＢＧ（Code  Block  Group）をベースにしてデータを割り当てる例について説明する。なお、ＣＢＧとは、１以上のＣＢのグループである。１つのＣＢＧに含まれるＣＢの数は、１つのＴＢ（Transport  Block）に含まれるＣＢの数以下となる。要するに、ＴＢは、１以上のＣＢＧによって表現される。なお、実施の形態３では、実施の形態１及び２と同様な部分については、説明を省略する。また、実施の形態３では、１つのＣＢＧが２つのＣＢを含むものとして説明する。さらに、１スロットには４つのＣＢＧが含まれるものとし、データの割り当てはＣＢ単位で行われるものとする。
【００９３】
図１３は、ＣＢ単位でデータが割り当てられる場合のスロット構成の具体例を示す図である。なお、上述したＴＢがスロットに相当することとしても良い。また、ＣＢＧは、例えばスロット（又はＴＢ）ごとに独立に設定されても良く、各スロット（又はＴＢ）におけるＣＢＧの設定や識別情報が制御チャネルによって通知されても良い。
【００９４】
図１３に示すように、スロットＮのＣＢＧ＃１〜＃４においてｅＭＭＢデータが送信されるようにスケジューリングされている場合でも、ＵＲＬＬＣデータが発生すると、このＵＲＬＬＣデータ６１０は、例えばスロットＮのＣＢＧ＃３にマッピングされる。そして、スロットＮのＣＢＧ＃３によって送信される予定だったｅＭＢＢデータ６２０は、スロットＮ＋ｋ（ｋは１以上の整数）のＣＢＧ＃３によって送信される。
【００９５】
このように、スロットＮのＣＢＧ＃３にＵＲＬＬＣデータ６１０がマッピングされ、スロットＮ＋ｋのＣＢＧ＃３にｅＭＢＢデータ６２０がマッピングされることは、例えばスロットＮ＋ｋのｅＭＢＢ制御チャネル内に配置された標示信号６１１によってｅＭＢＢ端末装置へ通知される。すなわち、ＵＲＬＬＣデータ６１０が送信されることによって影響を受けるｅＭＢＢ端末装置宛ての制御チャネルに標示信号６１１が含まれる。この制御チャネルは、複数の端末装置のグループに共通の制御チャネルであっても良い。ｅＭＢＢ端末装置は、標示信号６１１を参照して、スロットＮのＣＢＧ＃３にマッピングされたＵＲＬＬＣデータ６１０を除外して復号などの処理を実行する。
【００９６】
図１４は、ＣＢ単位でデータが割り当てられる場合のスロット構成の他の具体例を示す図である。図１４において、図１３と同じ部分には同じ符号を付す。
【００９７】
図１４に示すように、スロットＮのＣＢＧ＃１〜＃４においてｅＭＭＢデータが送信されるようにスケジューリングされている場合でも、ＵＲＬＬＣデータが発生すると、このＵＲＬＬＣデータ６１５は、例えばスロットＮのＣＢＧ＃３の１つのＣＢにマッピングされる。そして、スロットＮのＣＢＧ＃３によって送信される予定だったｅＭＢＢデータ６２０は、スロットＮ＋ｋ（ｋは１以上の整数）のＣＢＧ＃３によって送信される。
【００９８】
このように、スロットＮのＣＢＧ＃３の一部のＣＢにＵＲＬＬＣデータ６１５がマッピングされ、スロットＮ＋ｋのＣＢＧ＃３にｅＭＢＢデータ６２０がマッピングされることは、例えばスロットＮ＋ｋのｅＭＢＢ制御チャネル内に配置された標示信号６１１によってｅＭＢＢ端末装置へ通知される。
【００９９】
図１４に示す例では、スロットＮのＣＢＧ＃３の一部のＣＢにＵＲＬＬＣデータ６１５がマッピングされており、残りのＣＢにはｅＭＢＢデータがマッピングされる。しかしながら、スロットＮのＣＢＧ＃３のデータ全体としては、ｅＭＢＢ端末装置にとって断片的で不要なデータとなるため、ｅＭＢＢ端末装置は、標示信号６１１を参照して、スロットＮのＣＢＧ＃３のデータ全体を除外して復号などの処理を実行する。
【０１００】
なお、上記図１３、１４に示したようにスロットＮのＣＢＧ＃３によってＵＲＬＬＣデータ６１０、６１５が送信される場合、このＣＢＧ＃３においてｅＭＢＢデータを受信する予定であったｅＭＢＢ端末装置は、受信失敗を示すＮＡＣＫを返信しても良い。この場合、基地局装置は、ｅＭＢＢ端末装置からＮＡＣＫを受信した後に、スロットＮ＋ｋのＣＢＧ＃３をスロットＮのＣＢＧ＃３で送信予定だったｅＭＭＢデータ６２０に割り当て、その旨を示す標示信号６１１を送信しても良い。
【０１０１】
また、標示信号６１１がスロットＮにおいて送信されれば、ｅＭＢＢ端末装置は、スロットＮのＣＢＧ＃３に関するＡＣＫ又はＮＡＣＫをフィードバックしなくても良い。すなわち、標示信号６１１によって、スロットＮ＋ｋのＣＢＧ＃３にｅＭＢＢデータ６２０がマッピングされることが示されているため、ｅＭＢＢ端末装置は、スロットＮのＣＢＧ＃３においてｅＭＢＢデータの受信を失敗しても、ＮＡＣＫの返信を省略することができる。換言すれば、例えばＨＡＲＱ（Hybrid  Automatic  Repeat  reQuest）などの再送要求処理を簡略化することができ、ｅＭＢＢ端末装置の負荷を低減することができる。
【０１０２】
なお、上記実施の形態３においては、スロットＮのＣＢＧ（例えばＣＢＧ＃３）がＵＲＬＬＣデータの送信に用いられた場合に、送信予定だったｅＭＢＢデータを別のスロットＮ＋ｋの同じＣＢＧ（例えばＣＢＧ＃３）を用いて送信することとしたが、これに限定されない。例えば、送信予定だったｅＭＢＢデータをスロットＮ＋ｋの他のＣＢＧ（例えばＣＢＧ＃１）を用いて送信しても良い。
【０１０３】
また、他の端末装置宛てのデータの割り当て状況や無線リソース等に応じて、スロットＮで送信予定だったｅＭＢＢデータが、例えばスロットＮ＋ｋの複数のＣＢＧを利用して送信されても良いし、複数のスロットを利用して送信されても良い。なお、複数のＣＢＧ又は複数のスロットを利用する際には、例えば図１５に示すように、複数のＣＢＧ又は複数のスロットに跨って、ｅＭＢＢデータ６２５がマッピングされても良い。
【０１０４】
図１５は、スロットＮにおいてＵＲＬＬＣデータ６１０が送信されたために送信されなかったｅＭＢＢデータ６２５が、スロットＮ＋ｋのＣＢＧ＃１〜＃４に跨って一部の周波数帯域にマッピングされる例である。スロットＮ＋ｋにおいては、スロットＮで送信予定だったｅＭＢＢデータ６２５が送信されるため、このｅＭＢＢデータ６２５を受信するｅＭＢＢ端末装置宛ての新たなｅＭＢＢデータは、スロットＮ＋ｋで送信されない。したがって、スロットＮ＋ｋにおいて、ｅＭＢＢデータ６２５に割り当てる所定数のサブキャリアなどの無線リソースを確保することができる。
【０１０５】
以上のようにすることで、ＣＢＧをベースとしてデータが割り当てられる場合にも、ＵＲＬＬＣデータの送信が可能である。また、上記実施の形態３においては、他の実施の形態と同様に、上り回線のＵＲＬＬＣデータが発生した場合に、ＵＲＬＬＣ端末装置はＳＲを送信し、基地局装置はｅＭＢＢ端末装置によるｅＭＢＢデータの送信に割り当て済みの無線リソースをＵＲＬＬＣデータに割り当てる。そして、基地局装置は、ＵＲＬＬＣデータに割り当てた無線リソースを特定するＵＬ標示信号を送信し、ｅＭＢＢ端末装置によるｅＭＢＢデータの送信を中止させる。このため、ＵＲＬＬＣ端末装置は、ｅＭＢＢデータの送信完了を待機することなく即座にＵＲＬＬＣデータを送信することができ、ＵＲＬＬＣデータに要求される低遅延の条件を満たすことができる。
【０１０６】
上記各実施の形態においては、ＵＲＬＬＣデータに割り当てられた無線リソースではｅＭＢＢ端末装置によるｅＭＢＢデータの送信が中止されるものとしたが、ｅＭＢＢデータの送信は、完全に中止されなくても良い。すなわち、ｅＭＢＢ端末装置は、ＵＲＬＬＣデータに割り当てられた時間及び周波数における送信電力を減少させてｅＭＢＢデータを送信しても良い。つまり、ｅＭＢＢ端末装置は、ＵＬ標示信号を受信した場合、ＵＲＬＬＣデータに割り当てられた無線リソースの利用を中止したり送信電力を減少させたりして、ｅＭＢＢデータの送信を抑制する。
【０１０７】
一方、ＵＲＬＬＣ端末装置は、ＵＲＬＬＣデータに割り当てられた時間及び周波数における送信電力を増加させてＵＲＬＬＣデータを送信し、ＵＲＬＬＣデータの信頼性を向上する。このとき、それぞれの端末装置における送信電力を指示する情報は、ＵＬ標示信号に含まれても良いし、各端末装置に共通の制御信号に含まれても良い。基地局装置は、例えば逐次干渉キャンセル（Successive  Interference  Cancellation：ＳＩＣ）を用いて、ｅＭＢＢデータ及びＵＲＬＬＣデータの一方を干渉信号としてキャンセルすることにより、他方のデータを取得することができる。
【０１０８】
上記各実施の形態において、標示信号に関するＤＣＩ（Downlink  Control  Information）は、例えばスケジューリングや下り回線のリソース割り当て情報などのための他のＤＣＩと同一のサイズを有していても良い。例えば、標示信号に関するＤＣＩは、制御情報にＣＲＣ（Cyclic  Redundancy  Check）が付与されて、標示信号に固有のＲＮＴＩ（Radio  Network  Temporary  Identifier）などの識別子が付加されることにより生成されても良い。ＵＲＬＬＣデータの低遅延及び高信頼性の要求を満たすために、標示信号に関するＤＣＩは、制御チャネルの先頭に配置されても良く、より多くのＣＣＥ（Control  Channel  Element）に割り当てられても良い。
【符号の説明】
【０１０９】
１０１  スケジューラ部
１０２  データ生成部
１０３  制御信号生成部
１０４  標示信号生成部
１０５  マッピング部
１０６、２１３  ＩＦＦＴ部
１０７、２１４  ＣＰ付加部
１１１、２０１  ＣＰ除去部
１１２、２０２  ＦＦＴ部
１１３  データ復号部
１１４  ＳＲ取得部
１２１  制御信号生成部
２０３  標示信号復号部
２１１  ｅＭＢＢデータ送信制御部
２１２  ｅＭＢＢデータ生成部
２２１  制御信号復号部
２３１  ＳＲ生成部
２３２  ＵＲＬＬＣデータ生成部
２５１  監視信号復号部
２５２  標示信号復号部
【図１】
2018203389.tif 000003
【図２】
2018203389.tif 000004
【図３】
2018203389.tif 000005
【図４】
2018203389.tif 000006
【図５】
2018203389.tif 000007
【図６】
2018203389.tif 000008
【図７】
2018203389.tif 000009
【図８】
2018203389.tif 000010
【図９】
2018203389.tif 000011
【図１０】
2018203389.tif 000012
【図１１】
2018203389.tif 000013
【図１２】
2018203389.tif 000014
【図１３】
2018203389.tif 000015
【図１４】
2018203389.tif 000016
【図１５】
2018203389.tif 000017
【国際調査報告】
2018203389.tif 000018
2018203389.tif 000019